(57)【特許請求の範囲】
【請求項１】
陰茎体及び亀頭を有するペニスを包み込むためのデバイスであって、
体液を吸収する吸収性の材料から構成され、前記亀頭に被さるように適合されたフードと、
前記陰茎体を包み込むように適合された、平坦な布地シートであるカバーであって、前記フードに取り付けられたカバーと
を備え、
前記陰茎体が、ある周囲寸法を有し、
前記カバーが、前記布地シートを重ね合わせて前記陰茎体の周りに巻き付くことができるように、前記周囲寸法の少なくとも２倍の巻付き寸法を有し、それにより前記布地シートの第２の部分が、前記布地シートの第１の部分の上に巻き付き、このとき、前記第１の部分が下層を形成し、前記第２の部分が、前記下層の少なくとも一部分の上で外層を形成する、デバイス。
【請求項２】
前記カバーが、前記布地シートのリボンであり、
前記リボンの長さ寸法が、前記巻付き寸法であり、
前記リボンが、前記フードに取り付けられた第１の端部と、自由端とを有し、
前記リボンが、前記陰茎体の前記周囲寸法の周りに少なくとも２重に巻き付くことができる、請求項１に記載のデバイス。
【請求項３】
前記リボンが前記陰茎体の周りに巻き付けられるときに、前記カバーは、前記巻き付けられたリボンの下層の下に前記自由端をたくし込むことによって前記陰茎体に固定可能である、請求項２に記載のデバイス。
【請求項４】
前記リボンの前記巻付き寸法が、前記周囲寸法の少なくとも３倍であり、
前記リボンが前記陰茎体の周りに巻き付けられるときに、前記カバーは、前記巻き付けられたリボンの前記外層と前記下層の間に前記自由端をたくし込むことによって前記陰茎体に固定可能である、請求項２に記載のデバイス。
【請求項５】
陰嚢リングをさらに備え、
前記布地シートが三角形状であり、
前記フードが、前記三角形の第１の頂点に取り付けられ、
前記陰嚢リングが、前記三角形の第２の頂点に取り付けられ、
前記布地シートの前記第１の部分が、前記第１の頂点と前記第２の頂点の間に延在して前記下層を形成し、
前記布地シートの前記第２の部分が、前記第１の部分から前記第３の頂点に延在して前記下層の上で前記陰茎体の周りに巻き付けられる前記外層を形成する、請求項１に記載のデバイス。
【請求項６】
前記カバーが前記陰茎体の周りに巻き付けられるときに、前記カバーは、前記布地シートの前記外層の下に前記第３の頂点をたくし込むことによって前記陰茎体に固定可能である、請求項５に記載のデバイス。
【請求項７】
前記カバーが前記陰茎体の周りに巻き付けられるときに、前記カバーは、前記布地シートの前記外層と前記下層の間に前記第３の頂点をたくし込むことによって前記陰茎体に固定可能である、請求項５に記載のデバイス。
【発明の詳細な説明】
【技術分野】
【０００１】
[0002]  本発明は、ペニスアパレルの分野に関する。より詳細には、本発明は、ペニスを覆うためのデバイスに関する。
【背景技術】
【０００２】
[0004]  世界中の、各時代にわたる多くの文化において、男性は、自分のペニスを保護するためおよび／またはペニスのサイズを強調するため、およびステータスまたは性的快感の理由から、あらゆる様式の装飾を使用してきた。今日、現代の西洋世界では、そのようなペニスの装飾は、原始的なもの、奇異なもの、またはせいぜい派手なものであるとみなされる。現代の装飾は、典型的には地味である。一般的な現代の装飾の例には、性器への刺青や、棒または宝飾類を用いたピアスが含まれる。実際にそのような装飾を施すのは、痛く、不妊やインポテンスなどの副作用の可能性を伴い、完全には安全でなく、またペニスのサイズを強調しない。多くの現代の男性は、なんらかのタイプの一時的なペニス装飾を楽しんでおり、すなわち、衣料品を通して分かるようなわずかな視覚的なペニスサイズ強調をもたらすが、手術もしくは目立つ上に着け心地の悪い強調デバイスの着用を必要としない装飾、または単純に、性交渉および性行為の際に派手で目を引くようなあるタイプのペニス装飾を楽しんでいる。
【０００３】
[0005]  教師、政治家、エンターテイナー、身体に密着したコスチュームを着用する男性ダンサーなど、観衆の前に立つ、または観衆の前で演技することが多い職業の人々は、一番下に着た下着の保護のため、およびまた排尿後の残尿の染みや不快な匂いなどによって生じるばつが悪い状況を避けるために、使い捨ての保護層を使って心配をなくしたいと思うことがよくある。下着を着用せず、それでもペニスが動かないようにするため、過剰な汗を吸収するため、摩擦火傷を防止するため、および他の同様のことを防ぐために、ペニスへの保護層の着用の利益を得る男性もいる。例えば、ランナーは、メッシュネットの付いたショーツを着用することが多いが、それでも性器が動いて、その結果、摩擦火傷または過剰な汗による他の皮膚の炎症を起こす可能性がある。
【０００４】
[0006]  ペニス鞘および保護デバイスが知られているが、それらは主に、失禁に悩む男性が予期しない排尿を受け止めるために使用する医療または衛生用デバイスとしてのものである。米国特許第６４８７７２８Ｂ１は、陰嚢リングを有する管状鞘を開示する。この鞘は、陰茎体に被せて引き上げられ、陰嚢リングによって定位置に固定される。米国特許第４５７６５９９号は、失禁症の男性用の衛生ナプキンを開示する。このナプキンは、Ｔ字形であり、ナプキンを定位置に固定するために接着タブまたはタッチファスナーを有する。この衛生ナプキンは、層状構造を有し、吸収材からなる比較的薄い内層と、なんらかのプラスチック材料からなる防水層と、比較的薄い外側吸収層とを備える。これらの男性用衛生ナプキンは、一般に嵩張り、見た目が悪く、付け心地が悪い。
【先行技術文献】
【特許文献】
【０００５】
米国特許第６４８７７２８  Ｂ１
【０００６】
米国特許第４５７６５９９
【発明の概要】
【発明が解決しようとする課題】
【０００７】
[0007]  したがって、必要とされるのは、付け心地が良く、見た目が良いペニスカバーまたは保護バリアである。さらに必要とされるのは、使い捨てであり、簡単に定位置に固定できる、または取り外すことができるペニスカバーまたは保護バリアである。
【課題を解決するための手段】
【０００８】
[0008]  本発明は、大事なときおよび重要な状況の前またはそのような状況に差し掛かるときにきれいに保つために日常的にペニスに着用される「ペニスアパレル」とも呼ばれるペニスカバーである。このペニスアパレルは、快適さおよび／または安心感のために、思春期前の少年から老齢者まで、すべての年代の男性が着用することができる。また、このペニスアパレルは、単純に娯楽のため、装飾として、ペニスと衣類の間のバリアとして使うため、局部を視覚的に強調するためにも着用することができる。このペニスアパレルの主な目的は、自信や満足感を高めることである。このペニスアパレルは、医療デバイスではないが、自然に放出する不快な匂いを吸収するため、排尿後の染みや擦れを避けるため、および多くの他の目的のために使用することもできる。
【０００９】
[0009]  本発明によるペニスアパレルは、亀頭を保護するためのフードと、陰茎体に着用するための調節可能なカバーとを備える。カバーは、ペニスおよび陰嚢全体に被さるように、またはペニスにぴったりと着用されるように設計されることがある。フードは、個別部片で予め形成され、そこにカバーが取り付けられることがあり、またはフードとカバーが、単一の一体物品として構成されることがある。ペニスアパレルは、男性器の解剖学的形態に適合するように形作られ、定位置に固定するために、テープ固定具、ループ固定具、摩擦保持具、ストラップ、または接着タブを含むことがある。ペニスアパレルの多くの実施形態を説明する。それらすべてに共通なのは、使用者の解剖学的構造に合わせて調節可能であり、簡単かつ迅速に装着され、位置を定められ、定位置に固定され、さらに簡単かつ迅速に取り外される布地デバイスである。
【００１０】
[0010]  ペニスアパレルまたはラップを構成するために使用される材料は、肌触りが良く、軽量であり、通気性があって空気および水分が通過でき、かつ一回使用の目的で使い捨てのものであるべきである。フードは、亀頭の輪郭に適合するように、カップ形状を保持する材料から形成されることが好ましい。コットンやセルロース中綿など、カップ形状を保持するように予め形成および製造された軟らかい材料が、適切な構成物である。内側ライニングを備える外側カバーを含む構成物も適している。ここでも、従来のパンティライナで使用されるものなど、コットン、セルロース中綿、または不織布材料など、敏感な皮膚を刺激しない軟らかい材料が、ライニングとしての１つの良い選択肢である。同様の材料が外側カバーにも使用されることがあるが、外側カバーは、亀頭の敏感な皮膚とは接触しないので、より頑丈な材料を使用することもできる。陰茎体を包むカバーに特に適した１つの材料は、ペニスの形状に合わせることができ、サイズの変化に対応することができる伸縮性の織布材料である。そのような材料は、多くの場合、突起のあるまたは凸凹のある織物または組織を有し、これにより、材料の１層の突起を隣接する層の凹部と嵌め合わせることができ、従来の接着剤は使用されないが自己接着材料と呼ばれることも多い。このように材料の１層が隣接する層と接着できることにより、材料が解けるのを効果的に防止する。そのような自己接着巻付き布地の一例は、ジョンソンエンドジョンソン社からＨＵＲＴ−ＦＲＥＥ（登録商標）テープという商標で市販されている。このテープは、さらなる伸縮性を与えるためにゴム、ラテックス、またはナイロンを含むことがあるが、この伸縮性は必ずしも必要ではない。また、布地は、コットンなどの生分解性材料、または時間と共にその成分に分解される他の水に流せる材料からなることもある。
【００１１】
[0011]  このペニスアパレルは、簡単に装着し、位置を定め、固定することができ、簡単かつ迅速に取り外される。このペニスアパレルは、財布やポケットに目立たないように携帯することができる滅菌の小さな扁平の包装袋に個別に包装する、または任意の他の適切な様式で包装することができる。ペニスアパレルの特定の実施形態に応じて、カバーは、一端で、カバーの重畳層の間にたくし込むことによって、陰嚢リングによって、または自己接着巻付き材料が使用される場合には、単に材料を巻き付け、それを陰茎体に押し付けることによって定位置に固定することができる。
【００１２】
[0012]  本発明を、添付図面を参照して説明する。図面中、同様の参照番号は、同一または機能的に同様の要素を示す。
【図面の簡単な説明】
【００１３】
【図１Ａ】[0013]本発明によるペニスアパレルの好ましい実施形態を示す図である。
【図１Ｂ】[0014]ペニスの周りに巻き付けられた図１Ａのペニスアパレルの１つの例を示す図である。
【図２Ａ】[0015]カバーがペナントのような形状である、図１Ａの好ましい実施形態の一変形形態を示す図である。
【図２Ｂ】[0016]ペニスの周りに巻き付けられた図２Ａのペニスアパレルの１つの例を示す図である。
【図３Ａ】[0017]カバーがスカートのようにフードから垂れ下がる本発明によるペニスアパレルの第２の実施形態を示す図である。陰嚢リングがスカートに取り付けられている。
【図３Ｂ】[0018]陰茎体に沿って引き上げられ、陰嚢リングによって固定された図３Ａのペニスラップの１つの例を示す図である。
【図４Ａ】[0019]陰嚢リングを有する本発明によるペニスアパレルの第３の実施形態を示す図である。
【図４Ｂ】[0020]陰茎体を覆う図４Ａのペニスアパレルの１つの例を示す図である。
【図５Ａ】[0021]櫛形の縁部および陰嚢リングを有する本発明によるペニスアパレルの第４の実施形態を示す図である。
【図５Ｂ】[0022]陰嚢リングが陰嚢の根元を取り囲んでいる状態での、ペニスの周りに巻き付けられてねじられた図５Ａの実施形態を示す図である。
【図６Ａ】[0023]カップ形状のペニスアパレルの第５の実施形態を示す図である。
【図６Ｂ】[0024]身体に装着された図６Ａの実施形態を示す図である。
【発明を実施するための形態】
【００１４】
[0025]  次に、本発明の好ましい実施形態が示される添付図面を参照して、本発明をより完全に詳細に説明する。しかし、本発明は、本明細書に記載する実施形態に限定されるものと解釈すべきでない。それらの実施形態は、本開示が完全なものとなって本発明の範囲を当業者に完全に示すように提供される。
【００１５】
[0026]  図１Ａは、本発明によるペニスアパレル１０Ａの１つの好ましい実施形態を示す。ペニスアパレル１０は、長旗のような形状のカバー１４と、フード１２とを備える。カバー１４は、上端部１５でフード１２に取り付けられる。カバー１４は、直線状の長旗またはリボンでよく、または長旗の長さに沿って幅が変化してもよい。カバー１４の下端部１３は自由になっている。この好ましい実施形態では、カバー１４は、陰茎体の周囲寸法の少なくとも２倍の巻付き寸法を有する長い材料部片である。材料は、織布もしくは不織布、圧縮もしくはフェルト生地、中綿材料、弾性もしくは伸縮性材料、自己接着織布テープもしくはラップ、または他の適切な材料でよい。
【００１６】
[0027]  図１Ｂは、使用時のペニスアパレル１０Ａを示す。ペニスアパレル１０Ａを装着するために、使用者は、フード１２を亀頭に被せ、カバー１４を陰茎体Ｓの周りに一方向に巻き付けて、ペニスを覆う。布地下端部１３は、図示されるようにカバー１４の重畳層の下にたくし込むことによって固定される。使用者は、排尿または他の理由でペニスアパレル１０Ａを取り外す必要がある場合、単に、たくし込んだ部分を引き出して、カバー１４を解き、ペニスアパレル１０Ａを処分する。
【００１７】
[0028]  図２Ａは、図１Ａの好ましい実施形態の一変形形態を示し、カバー１４は、ペナントのような形状である。図２Ｂは、このペナント形のカバー１４が、陰茎体Ｓの周りに一方向に巻き付けられ、重畳層にたくし込まれる様子を示す。カバー１４は、特に非接着タイプの布地から形成されている場合、陰嚢リング１６または他の適切な取付け手段で固定されることがある。陰嚢リング１６は、ループのデザインであり、カバー１４の下端付近に取り付けられ、一度に１つの陰嚢がそこを通ることができるのにちょうど十分な大きさであり、それにより、両方の陰嚢が陰嚢リング１６を通して押し入れられると、ペニスアパレル１０Ａが定位置に固定される。陰嚢リング１６は、理想的には、陰嚢の敏感な皮膚を刺激しない高い伸縮性をもつ材料から形成される。使用者は、陰嚢リング１６を通してペニスを陰嚢リング開口１６Ａ内に挿入し、陰嚢を押してリングに通し、次いで、カバー１４を陰茎体Ｓの周りに巻き付ける。カバー１４は、ペニスのサイズおよび形状に応じて任意の適切な形状、サイズ、および長さであってよく、上述した２つの変形形態に限定されないことを理解されたい。ペニスアパレル１０Ａは、様々な色、デザイン、絵柄、または他の装飾的特徴を備えていてよく、香り付き、無香、風味付きであってよく、または他の所望の特徴を備えていてもよい。
【００１８】
[0029]  図３Ａは、本発明によるペニスアパレル１０Ｂの第２の実施形態を示し、カバー１４は、フード１２を取り囲み、スカートのようにフード１２から垂れ下がる襞付き構成である。図示される実施形態では、カバー１４は、任意のペニスのサイズおよび形状に対応できるように襞を付けられ、ペニスが弛緩状態から勃起状態に膨張する場合に伸張することができる。ペニスが弛緩状態にあるときにペニスアパレル１０Ｂを装着し、位置を定め、固定するために、使用者は、フード１２を亀頭に被せた状態でカバー１４内にペニスを収め、図３Ｂに示されるように身体の方向に向けて陰茎体Ｓに沿ってカバー１４を引き上げる。カバー１４は、自己接着織布テープから形成されている場合には、陰茎体Ｓの周りで定位置にペニスアパレル１０Ｂを固定するために軽く押し握られる。カバー１４は、特に非接着タイプの布地から形成されている場合には、陰嚢リング１６または他の適切な取付け手段によって固定されることがある。
【００１９】
[0030]  図４Ａは、本発明によるペニスアパレル１０Ｃの第３の実施形態を示し、カバー１４とフード１２が、ソックスのようなデバイスとなっている。フード１２は、カバー１４と一続きの布片でよく、またはカバー１４の上端部１５に取り付けられた別個の予め形成された布片であってもよい。図４Ｂは、弛緩したペニスの陰茎体Ｓに被せて引き上げられ、陰嚢リング１６によって定位置に固定されたペニスアパレル１０Ｃのこの第３の実施形態を示す。ペニスアパレル１０Ｃは任意の適切な様式でペニスに固定されることがあり、上述した固定手段に限定されないことを理解されたい。例えば、カバー１４が自己接着布地から形成される場合、単にカバー１４を陰茎体Ｓに押し付けることが、アパレルを定位置に固定する効果的な手段となることがあり、陰嚢リング１６の必要性をなくすことができる。
【００２０】
[0031]  図５Ａは、本発明によるペニスアパレル１０Ｄの第４の実施形態を示し、カバー１４は、櫛形の上端部１５を有する。カバー１４は、平坦な布地シートであり、例えば正方形や三角形など、陰茎体Ｓの周りに巻き付けるのに適した任意の形状であってよい。使用者は、櫛形の上端部１５のすぐ下に亀頭を位置させた状態で、カバー１４を陰茎体Ｓの周りに巻き付ける。次いで、図５Ｂに示されるように、櫛形の上端部１５がねじって閉じられて、フード１２を形成する。ペニスアパレル１０Ｄを定位置に固定するために、下端部１３に陰嚢リング１６が取り付けられることがあり、またはねじられた上端部１５が、被包部分の下にたくし込まれる、もしくは他の固定方法によって定位置に固定されることがある。また、ペニスアパレル１０Ｄは、自己織布接着テープから形成され、定位置に固定するために軽く押し握られることもある。
【００２１】
[0032]  図６Ａは、本発明によるペニスアパレル２０の第５の実施形態を示す。ペニスアパレル２０は、ブリーフまたはスポーツ用保護カップの中に入れることができる予め形成されたカップ２２である。カップ２２は、ペニスおよび陰嚢全体を包み込む。スポーツ用カップの中で使用されるとき、カップ２２は、プラスチックのスポーツカップと身体の間の保護体として作用し、皮膚の摩擦火傷を防止する。スポーツ用カップを用いずに使用されるときには、ペニスと衣類の間のバリアとして働く。カップ２０は、軟らかいラムウールもしくはフリース、またはコットンなど任意の適切な吸収材から形成されることがあり、またはそれらを裏張りされることがある。図６Ｂは、ブリーフの中に着用された図６Ａの実施形態を示す。使用者は、単に、ブリーフの前開き部分の内側にカップ２０を配置し、カップはそこで、下着と性器の間で定位置に保持される。ブリーフを履かずに着用される場合、カップ２０は、紐、ウェストバンド、または両面テープによって固定され、着用者の衣類への接着性を高めるためにカップの外面に摩擦コーティングを有する。
【００２２】
[0033]  ペニスアパレル１０Ａ〜１０Ｄまたは２０は、ペニスと衣類の間のバリアを提供するため、見た目のアピールをするため、サイズを強調するため、または様々な他の個人的な理由のために男性が着用するパーソナルケア品である。個々の理由に応じて、ある材料または布地が他のものよりも適することがある。したがって、ペニスアパレル１０Ａ〜１０Ｄおよび２０は、多様な材料から構成することができる。コットン、麻、タケ、アバカ、もしくは他の天然繊維、または天然および／または合成繊維の組合せからなるものなど、織布または不織布の生地を使用して、軟らかく、肌触りが良く、適切な柔軟性をもつ巻付き布地を構成することができる。生分解性および／または使い捨ての合成繊維からなる生地または発泡材も適切であることがある。弛緩状態にあるか勃起状態にあるかに応じてサイズがかなり変わることがあるペニスの性質により、ペニスアパレル１０Ａ〜１０Ｄおよび２０、または少なくともカバー１４を、弾性または伸縮性をもつ材料から構成することが望ましいことがある。また、折曲げおよび／または圧縮を容易にするため、圧力を高めるため、および密着性をカスタマイズするために、ペニスアパレル１０Ａ〜１０Ｄは、穴または窪みを含めた、引っかき線および／または折り紙の折線のような線を有することもある。
【００２３】
[0034]  本明細書で説明した実施形態は、単に本発明の例示にすぎないことを理解されたい。本明細書で開示し、かつ添付の特許請求の範囲で定義する本発明の所期の範囲を限定せずに、当業者はペニスラップの構成の変更を企図することができる。
【図１Ａ】
0005386501.tif 000002
【図１Ｂ】
0005386501.tif 000003
【図２Ａ】
0005386501.tif 000004
【図２Ｂ】
0005386501.tif 000005
【図３Ａ】
0005386501.tif 000006
【図３Ｂ】
0005386501.tif 000007
【図４Ａ】
0005386501.tif 000008
【図４Ｂ】
0005386501.tif 000009
【図５Ａ】
0005386501.tif 000010
【図５Ｂ】
0005386501.tif 000011
【図６Ａ】
0005386501.tif 000012
【図６Ｂ】
0005386501.tif 000013